Podtech/llm-jp-corpus-v4-ja_patent huggingface dataset:
(57)【要約】【課題】両面焼グリルでの使用においても焼き網と調理物とのこびりつきを防ぐとともに、有害物質が発生しない焼き網を提供すること。【解決手段】網７の基材５表面にシリコーン樹脂皮膜８を形成することにより、シリコーン樹脂皮膜８が持つ撥水性により網７と調理物とのこびりつきを防ぐことができるとともに、熱分解による有害物質の発生が無いため、両面焼グリルでの使用においても安全な焼き網を提供することができる。【選択図】  図１
2004209031.tif 000002
【特許請求の範囲】
【請求項１】
調理物の上面を焼く熱源と、下面を焼く熱源とを備え、前記下面用熱源の上方に焼き網を配置する構成とした両面焼グリルで、前記焼き網の表面にシリコーン樹脂皮膜を形成する構成とした両面焼グリルの焼き網。
【請求項２】
焼き網の材質を鉄鋼材とし、ニッケルメッキ処理と、ショットブラスト加工とを施した後に前記焼き網の表面にシリコーン樹脂皮膜を形成する構成とした請求項１記載の両面焼グリルの焼き網。
【発明の詳細な説明】
【０００１】
【発明の属する技術分野】
本発明は、両面焼グリルの焼き網の表面処理に関するものである。
【０００２】
【従来の技術】
従来のこの種の両面焼グリルの焼き網は、網にメッキ、ホーローなどの表面処理を施してあるのが一般的であるが、魚や肉などの調理物が焼き網にこびりついたときの掃除の手間を省くため、焼き網表面にフッ素樹脂塗装を施すことが考えられる。
【０００３】
図４はガスを熱源とした従来のガス両面焼グリルの構成を示し、図５は両面焼グリルの焼き網の断面構成を示すものである。図４において焼き網１に載置された調理物２は、上バーナー３と下バーナー４から加熱調理される。
【０００４】
この時、調理物２のタンパク質が焼き網１と熱凝着してこびりつきが発生するため、図５に示すように焼き網１の基材５表面にフッ素塗装６を施すことによってこびりつきを防いでいる。
【０００５】
この焼き網にフッ素塗装を施した先行技術文献はないが、同様の主旨で受け皿にフッ素コートを施したものが開示されている（例えば、特許文献１）。
【０００６】
【特許文献１】
特開２０００−２４５６２４号公報
【０００７】
【発明が解決しようとする課題】
しかしながら上記従来の構成では、上下からの同時加熱によって焼き網１の温度が高くなりこびりつきが発生しやすくなるという課題があった。
【０００８】
また、こびりつきを防ぐためにフッ素塗装６を施す場合があるが、最近の研究によると焼き網１の温度が３８０℃を超えると有害物質を発生することが判ってきており、前記焼き網１の温度が３８０℃を超える場合には、安全性の問題からフッ素塗装６が使えないという課題があった。
【０００９】
本発明は、上記従来の課題を解決するもので、撥水性を有し高温時にも有害物質を発生しないシリコーン樹脂を焼き網表面に塗布し、焼き網への調理物のこびりつきを防ぐ両面焼グリルの焼き網の提供を目的とする。
【００１０】
【課題を解決するための手段】
上記従来の課題を解決するために、本発明の両面焼グリルの焼き網は焼き網表面にシリコーン樹脂塗装を施したものである。
【００１１】
このシリコーン樹脂塗装により、焼き網表面にはシリコーン樹脂皮膜が形成され、両面焼グリルのように焼き網の温度が高くなる場合においても、焼き網への調理物のこびりつきを防ぐとともに、安全な両面焼グリルの焼き網を得ることができる。
【００１２】
【発明の実施の形態】
請求項１に記載の発明は、調理物の上面を焼く熱源と、下面を焼く熱源とを備え、前記下面用熱源の上方に焼き網を配置する構成とした両面焼グリルで、前記焼き網の表面にシリコーン樹脂皮膜を備えることにより、シリコーン樹脂が持つ撥水性により焼き網への調理物のこびりつきを防ぐことができ、また、熱分解による有害物質の発生が無いため、両面焼グリルでの使用においても安全な焼き網にすることができる。
【００１３】
請求項２に記載の発明は、焼き網の基材を鉄とし、ニッケルメッキ処理と、ショットブラスト加工とを施した後に、前記焼き網の表面にシリコーン樹脂皮膜を形成することにより、長期間使用により表面のシリコーン皮膜が剥離した場合でも、ニッケルメッキ層が焼き網基材の腐食を防ぐことができる。
【００１４】
また、ニッケルメッキ層へのショットブラスト加工は前記ニッケルメッキ層とシリコーン樹脂皮膜との密着力を向上させることができる。
【００１５】
さらに、ニッケルメッキ処理を施すことによって、焼き網基材を鉄にすることが可能となり、ステンレス鋼のような高価な材料を使わずに済むことで、より安価な両面焼グリルの焼き網を供給することができる。
【００１６】
【実施例】
以下、本発明の実施例について、図面１〜３を用いて説明する。
【００１７】
（実施例１）
図１は本発明の第１の実施例における両面焼グリルの焼き網の斜視図であり、図２は調理物を載置する網を示す図１のＡ−Ａ線における断面図である。
【００１８】
図１において、焼き網１は調理物を載置するための網７を有している。図２において網７には基材５にシリコーン樹脂皮膜８が形成されている。
【００１９】
以上のように構成された両面焼グリルの焼き網において、シリコーン樹脂皮膜８が持つ撥水性により、焼き網１と調理物のタンパク質との熱凝着（こびりつき）を防ぐことができる。
【００２０】
また、熱分解による有害物質の発生が無いため、両面焼グリルでの使用においても安全な焼き網にすることができる。
【００２１】
なお、本実施例において、長期間使用によるシリコーン樹脂皮膜８の剥離を想定して、網７の基材５の材質はステンレス鋼などの腐食しにくい材料を使用することが望ましい。
【００２２】
（実施例２）
図３は本発明の第２の実施例における両面焼グリルの焼き網の網を示す図１のＡ−Ａ線における断面図である。
【００２３】
本実施例において、網７には基材５にニッケルメッキ層９が形成されている。この時、メッキ後のショットブラスト加工によって前記ニッケルメッキ層９の表面は粗されている。そして、前記ニッケルメッキ層９表面にシリコーン樹脂皮膜９を形成している。
【００２４】
以上のように構成された両面焼グリルの焼き網において、シリコーン樹脂皮膜８が剥離した場合でも、ニッケルメッキ層９が基材５の腐食を防ぐため、前記基材５の材料は安価な鉄を使用することができる。
【００２５】
【発明の効果】
以上のように本発明によれば、焼き網と調理物とのこびりつきを防ぐことができ、お手入れ性を向上させることができる。
【００２６】
また、両面焼グリルでの使用においても有害物質の発生が無い安全な焼き網にすることができるとともに、基材の材料を鉄にすることで安価な焼き網を提供することができる。
【図面の簡単な説明】
【図１】本発明の実施例１における両面焼グリルの焼き網の斜視図
【図２】本発明の実施例１における両面焼グリルの焼き網の断面図
【図３】本発明の実施例２における両面焼グリルの焼き網の断面図
【図４】従来のガス両面焼グリルの断面図
【図５】従来の両面焼グリルの焼き網の断面図
【符号の説明】
１  焼き網
５  基材
８  シリコーン樹脂皮膜
【図１】
2004209031.tif 000003
【図２】
2004209031.tif 000004
【図３】
2004209031.tif 000005
【図４】
2004209031.tif 000006
【図５】
2004209031.tif 000007
(57)【要約】【課題】芳香器において、吸上げ部材のつまりによる吸上げ部材から揮散領域への芳香剤の揮散量の経時的な減量を回避すること。【解決手段】芳香器１０であって、芳香剤を収容する容器１１に吸上げ部材２０の一端側を浸漬し、吸上げ部材２０の他端側を揮散領域１３の側に立上げ、吸上げ部材２０の周囲に配置したフロート２１を芳香剤上に浮かせ、フロート２１の上部に設けた筒状部材２２により吸上げ部材２０の周囲を揮散領域１３に対して遮蔽するもの。【選択図】  図１
2004209100.tif 000002
【特許請求の範囲】
【請求項１】
芳香剤を収容する容器に吸上げ部材の一端側を浸漬し、吸上げ部材の他端側を揮散領域の側に立上げ、吸上げ部材の周囲に配置したフロートを芳香剤上に浮かせ、フロートの上部に設けた筒状部材により吸上げ部材の周囲を揮散領域に対して遮蔽する芳香器。
【発明の詳細な説明】
【０００１】
【発明の属する技術分野】
本発明は芳香器に関する。
【０００２】
【従来の技術】
特許文献１に記載の如く、芳香剤を収容する容器に吸上げ部材の一端を浸漬し、吸上げ部材の他端を揮散領域に位置付け、吸上げ部材に浸透した容器内の芳香剤を揮散領域にて揮散するものがある。
【０００３】
【特許文献１】
特開平９−１８７４９５（２頁、図４）
【０００４】
【発明が解決しようとする課題】
特許文献１では、容器内の芳香剤が吸上げ部材に吸上げられて揮散し続ける間に、吸上げ部材の揮散領域に臨む面に芳香剤のうちで揮散しにくい成分がつまり、吸上げ部材の吸上げ能力を経時的に低下する。これにより、吸上げ部材から揮散領域への芳香剤の揮散量が経時的に減じ、香りが次第に弱くなる。
【０００５】
本発明の課題は、芳香器において、吸上げ部材のつまりによる吸上げ部材から揮散領域への芳香剤の揮散量の経時的な減量を回避することにある。
【０００６】
【課題を解決するための手段】
請求項１の発明は、芳香剤を収容する容器に吸上げ部材の一端側を浸漬し、吸上げ部材の他端側を揮散領域の側に立上げ、吸上げ部材の周囲に配置したフロートを芳香剤上に浮かせ、フロートの上部に設けた筒状部材により吸上げ部材の周囲を揮散領域に対して遮蔽する芳香器である。
【０００７】
【発明の実施の形態】
芳香器１０は、容器１１に蓋体１２を螺合している。
【０００８】
芳香器１０は、容器１１に液状芳香剤Ｌを収容し、この容器１１内の芳香剤中にフェルト芯、焼結金属棒等からなる吸上げ部材２０の一端側を浸漬し、吸上げ部材２０の他端側を蓋体１２の側の揮散領域１３の側に立上げている。蓋体１２は、吸上げ部材２０の他端部を嵌合させて支持する嵌合凹部１２Ａを備えるとともに、揮散領域１３を外部空間に連通する通気口１４を備える。
【０００９】
芳香器１０は、容器１１の内部で、吸上げ部材２０の周囲に遊挿したフロート２１を芳香剤の上に浮かせ、フロート２１の上部に固定的に設けた筒状部材２２を吸上げ部材２０の周囲に遊挿し、筒状部材２２により吸上げ部材２０の周囲を揮散領域１３に対して遮蔽する。
【００１０】
従って、芳香器１０では、吸上げ部材２０に吸上げられる容器１１内の芳香剤は、吸上げ部材２０の外表面において、蓋体１２とフロート２１の筒状部材２２とに挟まれて揮散領域１３に対して開放される開放面２３から、揮散領域１３に揮散し、ひいては通気口１４から外部空間に放散するものになる。
【００１１】
本実施形態によれば以下の作用効果がある。
▲１▼芳香器１０の使用経過により、容器１１内の芳香剤が減少するにつれて、フロート２１及び筒状部材２２が下降し、筒状部材２２による吸上げ部材２０の遮蔽面積を減じ、吸上げ部材２０の揮散領域１３に対する開放面２３を新たに増す。吸上げ部材２０の揮散領域１３に対する既開放面２３Ａ（図２）では芳香剤のうちの揮散しにくい成分のつまりによって芳香剤の揮散流量を減ずることになるものの、新たなつまりのない新規開放面２３Ｂ（図２）の開放によって芳香剤の揮散流量を補填する。これにより、吸上げ部材２０のつまりによる吸上げ部材２０から揮散領域１３への芳香剤の揮散量の経時的な減量を回避する。
【００１２】
▲２▼上述▲１▼の芳香剤の揮散流量の補填度合は、フロート２１及び筒状部材２２の下降速度に支配される。容器１１の横断面積が下端寄りで漸増するものにあっては、フロート２１の下降速度が漸減するから、新規開放面２３Ｂの開放速度は経時的に低く、芳香剤の揮散流量の補填度合は経時的に低く、芳香剤の揮散流量を経時的に減量傾向にする。容器１１の横断面積が下端寄りで漸減するものにあっては、フロート２１の下降速度が漸増するから、新規開放面２３Ｂの開放速度は経時的に高く、芳香剤の揮散流量の補填度合は経時的に高く、芳香剤の揮散流量を経時的に増量傾向にする。
【００１３】
従って、容器１１の断面形状の選択により、芳香剤の揮散流量の所望とする増減傾向を実現できる。
【００１４】
【発明の効果】
本発明によれば、芳香器において、吸上げ部材のつまりによる吸上げ部材から揮散領域への芳香剤の揮散量の経時的な減量を回避することができる。
【図面の簡単な説明】
【図１】図１は芳香器の使用初期状態を示す模式図である。
【図２】図２は芳香器の使用経過状態を示す模式図である。
【符号の説明】
１０  芳香器
１１  容器
１３  揮散領域
２０  吸上げ部材
２１  フロート
２２  筒状部材
【図１】
2004209100.tif 000003
【図２】
2004209100.tif 000004
(57)【要約】【課題】衣類などのポケットに収納しきれない携帯用品の収納や、衣類などのポケットに収納した携帯用品の大きさや重さによる衣類の型崩れを解決することを課題とする。【解決手段】ショルダー部分は、革や合皮やビニールや布性のベルトでできており長短各２本のベルトを図１の平面図のとおり組み合わせる。短い各ベルトおよび背面部の長ベルトには複数の円形状の穴が設けられておりそこに取り外しが可能な皮や合皮やビニールや布性でできた携帯用品収納用ポケットを取り付ける。この形状によるとショルダー部分は、装着する者の各体型に合わせることができ装着時のベルトの歪みをなくすことができる。また背広やブレザーなどの上着の下に装着したときには、ショルダーポケットすべてが隠れるようになっている。【選択図】          図１
2004209052.tif 000002
【特許請求の範囲】
【請求項１】
組み合わせたベルトに複数のポケットを取り付け両肩にかけ使用することを特徴とするショルダーポケット。
【発明の詳細な説明】
【０００１】
【発明の属する技術分野】
この発明は、組み合わせたベルトに複数のポケットを取り付け両肩にかけ使用し、そのポケットに携帯用品を収納することのできるショルダーポケットの形状に関するものである。
【０００２】
【発明が解決しようとする課題】
この発明は、衣類などのポケットに収納しきれない携帯用品の収納や衣類などのポケットに収納した携帯用品の大きさや重さによる衣類の型崩れを解決することを課題とする。
【０００３】
【課題を解決するための手段】
この発明は、組み合わせたベルトに複数のポケットを取り付け両肩にかけ使用するショルダーポケットでる。
【０００４】
【発明の実施の形態】
以下、この発明の実施の形態について説明する。ショルダー部分は、革や合皮やビニールや布性のベルトでできており長短各２本のベルトを図１の平面図のとおり組み合わせる。長短のベルトの接地面は、縫合又はハトメ玉又は接着剤により固定し背面部で交差させたベルトとベルトの中心部は、角度が調整できるようにハトメ玉などで結合する。各短ベルトおよび背面部の長ベルトには、複数の円形状の穴が設けられており、そこに取り外しが可能な皮や合皮やビニールや布性でできた携帯用品収納用ポケットを取り付け実施する。この形状によるとショルダー部分は、装着する者の各体型に合わせることができ装着時のベルトの歪みをなくすことができる。また、背広やブレザーなどの上着の下に装着したときには、ショルダーポケット本体すべてが隠れるようになっている。この発明は、以上のような構造でこれを使用するときは、図２の実施例図のとおり円形状の部分に左右の腕をとおし両肩にかけ背面部のベルトとベルトが交差している部分が背中の中心にくるように装着する。
【０００５】
【実施例】
この発明によれば、衣類などのポケットに収納しきれない携帯用品の収納や衣類などのポケットに収納した携帯用品の大きさや重さによる衣類の型崩れを解決することができるほか、季節に左右されることなく装着できる。主に背広やブレザーなどの上着の下に着用し外見から見えることなく使用することを特徴とする。
【０００６】
【発明の効果】
以上説明したように、この発明によれば、衣類などのポケットに収納しきれない携帯用品の収納や衣類などのポケットに収納した携帯用品の大きさや重さによる衣類の型崩れを解決することができるほか、季節に左右されることなく装着できる。主に背広やブレザーなどの上着の下に着用し外見から見えることなく使用するが、形状がファッション的に優れているため上着を着用していなくても常に装着していられる。
【図面の簡単な説明】
【図１】この発明の実施形態を示す平面図である。
【図２】この発明の実施形態を示す実施例図である。
【符号の説明】
１  長ベルト
２  短ベルト
３  ベルト固定部
４  ベルト回転結合部
５  携帯用品収納用ポケット
【図１】
2004209052.tif 000003
【図２】
2004209052.tif 000004
(57)【要約】【課題】狭い肛門管内部での痔核を的確に挟持し、手術時の出血を最小限に押さえ、結紮時の煩雑さを容易にする鉗子を提供する。【解決手段】柄部の一端に内痔核を挟持する為の挟持部を有し且つ柄部の他端に指を挿入する為の把持部を備えた一対の鉗子部材が交差され、交差部の連結軸により相互に開閉可能に連結され、把持部の開閉により挟持部が開閉される手術用鉗子において、鉗子全体が把持部の開閉方向を含む面に対して垂直平面上にゆるやかに湾曲し、両挟持部先端に挟持部の長軸方向に挟持面に対し垂直にスリットを付け、相対する２組の挟持部の湾曲内側一組を外側一組より少し短くした手術用鉗子を提供することにより、上記課題を解決する。【選択図】      図１
2004209009.tif 000002
【特許請求の範囲】
【請求項１】
柄部の一端に組織を挟持する為の挟持部を有し、且つ柄部の他端に指を挿入する為の把持部を備えた１対の鉗子部材が交差され交差部の連結軸により相互に開閉可能に連結され把持部の開閉により挟持部が開閉される手術用鉗子に於いて、鉗子全体が把持部の開閉方向を含む面に対して垂直平面上にゆるやかに湾曲されたことを特徴とした手術用鉗子。
【請求項２】
前記鉗子の挟持部の長軸方向に挟持面に対し垂直にスリットを有することを特徴とする請求項１に記載の手術用鉗子。
【請求項３】
前記の挟持部の相対する２組の挟持部の湾曲内側一組を外側一組より短くしたことを特徴とする請求項１または２に記載の手術用鉗子。
【発明の詳細な説明】
【０００１】
【発明の属する技術分野】
この発明は、手術用鉗子に関するものであり、特に内痔核の結紮手術の際、患部へのアプローチを容易にする手術用鉗子に関するものである。
【０００２】
【従来の技術】
従来、内痔核の結紮手術には、肛門管内部に於いて結紮部の前後をそれぞれ１本づつの鉗子を用い挟持し結紮手術を行なっていた。
【０００３】
【発明が解決しようとする課題】
これは次のような欠点があった。
肛門管内部が狭い為、縫合する組織の前後を、２本の鉗子を用いて的確に挟持する事が困難で、縫合時の出血が増したり、手術時間が延びることにより、患者への負担が増していた。
本発明は、これらの欠点を解消する為に発明されたものである。
【０００４】
【課題を解決するための手段】
本発明にかかる手術用鉗子は、柄部の一端に内痔核を挟持する為の挟持部を有し且つ柄部の他端に指を挿入する為の把持部を備えた一対の鉗子部材が交差され、交差部の連結軸により相互に開閉可能に連結され、把持部の開閉により挟持部が開閉される手術用鉗子において、鉗子全体が把持部の開閉方向を含む面に対して垂直平面上にゆるやかに湾曲し、両挟持部先端に挟持部の長軸方向に挟持面に対し垂直にスリットを付け、相対する２組の挟持部の湾曲内側一組を外側一組より少し短くした手術用鉗子を提供することにより、上記課題を解決する。
【０００５】
【発明の実施の形態】
以下、本発明の実施の形態を説明する。
（イ）  肛門管内部に本発明の鉗子を挿入する。鉗子が湾曲している事により、鉗子自体が術者の視野を妨げることなく、また、腕関節の掌屈を強いることなく簡単に患部を挟持出来る。
（ロ）  挟持した患部を結紮する為に、挟持部のスリット先端に縫合の為の針を刺す。２つに分かれた挟持部がしっかり挟持している為、出血が最小限での施術が出来る。
（ハ）  スリットを利用して通した糸を相対する挟持部の短い方に回して、結紮する。挟持部の先端に糸が絡むことなく、容易に結紮する事が出来る。
【０００６】
【発明の効果】
本発明は、以上のような構造で、使用時、狭い肛門管の中でも、鉗子が湾曲している為、視野が確保され又、手関節への負担も少なく結紮部を的確に挟持でき、相対する２組の挟持部の湾曲内側１組を外側１組より短くしたことにより、縫合時の糸がらみも防げ、スリットを利用しての縫合により、出血も押さえれ、患部へのアプローチが容易に行なえるようになる。
【図面の簡単な説明】
【図１】本発明の斜視図
【図２】本発明の平面図
【図３】本発明の挟持部の右側面図
【図４】本発明の挟持部の開口時の斜視図
【符号の説明】
１．  鉗子部材
２．  把持部
３．  挟持部
４．  スリット
５．  突起部
６．  連結部
【図１】
2004209009.tif 000003
【図２】
2004209009.tif 000004
【図３】
2004209009.tif 000005
【図４】
2004209009.tif 000006
(57)【要約】【課題】長時間遊技したときの右手の疲労を解消するために自由型玉打ち出し装置を提供する。【解決手段】コントローラー型の玉打ち出し装置にすることにによって手元で使用できるようにして、腕への負担を減らし、また回転盤３を左右動くようにすることにより、右手、左手どちらでも使用できるようにした。また回転盤３を数装置本体１と同じ平面的な位置にすることによって、指への負担も減らした。また回転盤３の始点にくぼみ４をつけることによって指になじみやすく回転させやすくした。【選択図】図１
2004209002.tif 000002
【特許請求の範囲】
【請求項１】
固定型玉打ち出し装置を非固定式にすることによって両手で使用できるようにした自由型玉打ち出し装置。
【発明の詳細な説明】
【０００１】
【発明の属する技術分野】
本発明は右手の疲労を解決する為にコントローラー型の自由型にする事によって両手で使用できるようにしたものである。
【０００２】
【従来の技術】
従来はコントローラー型のような非固定型玉打ち出し装置はなかった。
【０００３】
【発明が解決しようとする課題】
従来の右方固定型玉打ち出し装置では長時間遊戯していると右手に疲労が溜まるという難点があった。本発明は、この課題を解消するためになされたものである。
【０００４】
【課題を解決するための手段】
コントローラー型の自由型玉打ち出し装置にすることと、回転盤３が左右回転することにより右手でも左手でも使用できるようにした。また回転盤３を平面にすることによって指への負担を減らすようにした。またくぼみ４をつけることによって指になじみやすく回転させやすい。
【０００５】
【発明の実施の形態】
以下、本発明の実施の形態について説明する。
（イ）回転盤３は装置本体１と同じ平面的な位置にあり、くぼみ４をもたせることにより指になじみやすく回転させやすい。
回転盤３は始点から左右に９０度回転する。
【０００６】
【発明の効果】
長時間遊技しても装置本体１が手元にくるので腕の負担が減り、また回転盤３左右どちらにも回転するので右手、左手のどちらでも遊技できるので腕の負担は減り、回転盤３が装置本体１と同じ平面的な位置にあるので指への負担も減りくぼみ４をもたせたこと指になじみやすく回転させやすい。
【図面の簡単な説明】
【図１】本発明の立体図である。
【図２】本発明の断面図である。
【符号の説明】
１装置本体
２玉止めボタン
３回転盤
４くぼみ
５線
【図１】
2004209002.tif 000003
【図２】
2004209002.tif 000004
(57)【要約】【目的】従来は手作業でしか米研ぎが出来ず、煩わしい手数と時間を掛けて処理して来た。近年こうした煩わしい問題を解消すべく無洗米なる商品が市場に登場しているが、根本的に難点があり、需要も低迷の状況だ。本発明は、古米から一貫して継続されて来た洗米方法の合理的革命的改善を狙っての発明である。【特許請求の範囲】
【請求項１】
洗米器態１は、容器態２に蓋態３を嵌め込んで構成する。この様にすると、米粒を限定枠に装填ができ、圧力水を噴射すると洗米することができる。
【請求項２】
容器態に蓋態を嵌め込むと、蓋態に組込んである細孔綱状が、洗浄室の上蓋をなし、米粒の流出を阻止し、且つ圧力水の噴射を洗浄室に透過する。
【請求項３】
噴射用ノズルは、水道蛇口先端に直接接続し、洗浄室に適合した噴射水量で米粒を洗浄する。連続放水より洗浄水は、容器外に落としてしまう仕組である。
【発明の詳細な説明】
【０００１】
本発明は、圧力水を利用した、滝壷洗米器態である。容器態の上部外壁周に蓋態を嵌め込むと、併合により、枠限定の洗浄室を構成する。蓋態の中央部には、細孔綱状を設けている。その網状は洗浄室の上蓋をなし、米粒の流出を阻止し、且つ圧力水を洗浄室に透過する役割を果している。
洗浄室に米粒を装填し、圧力水を噴射すると、米粒は限定された室内を強力な水流と共に循環し洗米する。洗浄水は連続噴射により洗浄室に止まることなく容器上部に設けた排出溝より落し込んでしまう仕組である。
【０００２】
ノズルは、水道蛇口先端に直接接続する、その圧力水の噴射は洗浄室に適合した噴射水量で洗米を果し容器外に放出される。
【０００３】
洗浄室に、米粒を装填し、圧力水を噴射すると、一定枠内に閉じ込められた米粒は逃げ場を失い、圧力水の強力な循環に巻き込まれ、洗浄室内壁に擦られ且つ、米粒同士と擦り合いながら室内を強力に循環し洗米する。
【０００４】
従来、洗米方法は手研ぎに頼っていたが、この様な洗米方式では、労力と時間の損失が大きかった。炊飯釜に米粒を装填し、水を差して、直接手研ぎしては、排水の繰返しで研ぎ上げてきた。この様な煩わしい、作業工程には、水が冷たい、手が荒れる、マニキュアが剥げる、米粒の流出を気遣、前屈みの姿勢、蛇口の再々なる開閉等々敬遠される事項があまりにも多かった。
本発明では、この様な煩わしい作業を排除し、簡単により早く洗米が出来ることを狙っての発明である。
【図面の簡単な説明】
【図１】洗米器斜面図
【図２】容器態斜面図
【図３】蓋態斜面図
【図４】容器態平面図（Ａ−Ａ矢視図）
【図５】洗米実施断面図
【図６】放水用ノズル態斜面図
【図７】放水用ノズル態断面図
【図８】放水用ノズル態平面図（Ｂ−Ｂ矢視図）
【図９】放水用ノズル態平面図（Ｃ−Ｃ矢視図）
【符号の簡単な説明】
１．容器態
２．蓋態
３．蓋態開閉ツマミ
４．放水口
５．取手
６．洗浄室上部ネット
７．容器態との接続ネジ
８．蛇口との接続ネジ
９．噴射口
１０．ノズル
１１．排水溝▲２▼
１２．排水溝外壁
１３．米粒
１４．排水溝▲１▼
１５．圧力水
１６．蓋態との接続ネジ
１７．歪みの阻止枕
１８．滑り止め
１９．ノズル補強
【図１】
2004209006.tif 000002
【図２】
2004209006.tif 000003
【図３】
2004209006.tif 000004
【図４】
2004209006.tif 000005
【図５】
2004209006.tif 000006
【図６】
2004209006.tif 000007
【図７】
2004209006.tif 000008
【図８】
2004209006.tif 000009
【図９】
2004209006.tif 000010
(57)【要約】【課題】遊技盤面の打ち球が接触した衝撃の反撥で球をより遠く適当な方向へ撥ね飛ばす、反撥素材を利用した部品のスーパージャンプを提供すること。【解決手段】土台となる前方に突出した基盤１は、前端と後端が下方に接合片２を突設し、該接合片２の下端に本体受部３を有したコ字型方形で、該本体受部３の後方側の下端から下方に取付部４を設け、上側に配する前方に突出した本体５は、下面の前端と後端に支持片６を下方に突設したコ字型方形で、該支持片６は前記本体受部３で支持され前記接合片２と固着し、前記基盤１と前記本体５に空間を設けた構造とすることにより、耐久性を備え打ち球が接触した衝撃の反撥で打ち球をより遠く弾く機構とした。【選択図】              図２
2004209004.tif 000002
【特許請求の範囲】
【請求項１】
遊技球が通る遊技盤面に設けられた構造物の、打ち球が接触する箇所に用いて球を撥ね飛ばす部品であり、土台となる前方に突出した硬質性素材の基盤に、該基盤の上側に空間を取って配する弾力性素材の本体を組合わせる構成にし、該本体に接触した打ち球が、該打ち球の衝撃により弾き飛ばされることを特徴とするパチンコ機のスーパージャンプ。
【発明の詳細な説明】
【０００１】
【発明の属する技術分野】
本発明は、遊技盤面に打たれたパチンコ球が接触した時の衝撃を、反撥素材の弾力性と硬質素材による反撥性を利用して球を弾き飛ばすパチンコ機のスーパージャンプに関する。
【０００２】
【従来の技術】
従来、周知のようにパチンコ機の遊技盤面の打ち球は、進路を跳返して妨害する釘と、役物や装置類の構造物が取り付けられてあり、それらに遊技盤面の打ち球が接触しながら落下する構成のゲージ仕様である。
【０００３】
【発明が解決しようとする課題】
上記した従来のパチンコ機の打ち球が通る遊技盤面において、本発明は遊技盤面の打ち球が接触した時に球を撥ね飛ばすスーパージャンプを組付けた構造物を配置することで、落下しつつ入賞口から遠ざかった打ち球を接触した衝撃により、入賞口方向に撥ね飛すことで遊技の興趣を一層引き立たせることができるパチンコ機のスーパージャンプを提供することを目的とするものである。
【０００４】
【課題を解決するための手段】
かかる目的を達成するために、請求項１記載の発明に係るパチンコ機の打ち球を撥ね飛すスーパージャンプは、遊技盤面に取り付けられる構造物の部品として、土台となる前方に突出した金属材の基盤は、前端と後端が下方に接合片を突設し、該接合片の下端に本体受部を有したコ字型方形で、該基盤の上側から覆うように配置した前方に突出したゴム分を含む樹脂材の本体は、前端と後端が下方に支持片を突設したコ字型方形で、該支持片は前記本体受部で支持され前記接合片と接着剤で固着する構成であり、反撥性の前記基盤と弾力性の前記本体の間に空間を生じさせることで、前記本体に接触した打ち球が素材の弾力性により弾かれ、また、強めに接触した時は、ほぼ同時に打ち球と該本体が硬度の前記基盤に当り、前記本体にバネ性が生じ打ち球のはね返りが増し、より遠く適当な方向に弾き飛ばされることとなり、これにより遊技の面白さを増大させるこができるパチンコ機のスーパージャンプである。
【０００５】
【発明の実施の形態】
以下に、本発明に係るパチンコ機のスーパージャンプの実施の形態を図面と共に説明する。図１は本発明に係るスーパージャンプの斜視図、図２はその破断した斜視図、図３はその中央縦断側面図である、図４はその分解斜視図。１は後記するパチンコ機の遊技盤面の構造物ａに取り付けられる基盤であり、該基盤１は土台となる前方に突出した金属材で、前端と後端が下方に接合片２を突設し、該接合片２の下端に本体受部３を有したコ字型方形で、後方側該本体受部３の下端から下方に前記構造物ａに取り付ける取付部４を設け、上側に配する前方に突出したゴム分を含む樹脂材の本体５は、下面の前端と後端に支持片６を下方に突設したコ字型方形で、該支持片６が前記本体受部３で支持され、前記接合片２と前記支持片６が接着剤で固着した構造である。
【０００６】
このように前記本体５と空間を取り前記基盤１を組合わせ、盤面の構造物ａの打ち球が接触する箇所に組付けることで、接触した打ち球の衝撃により前記本体５の弾力特性と前記基盤１の反撥特性で打ち球を弾き飛ばす。
【０００７】
【発明の作用及び効果】
以上、述べたように本発明に係るパチンコ機のスーパージャンプは、遊技盤面に取り付ける構造物の部品として、遊技盤面の構造物の打ち球が接触する適宜の箇所に組付け、打ち球が弾力特性のある本体と空間をへて間接的に硬質で反撥特性のある基盤の双方に接触したときの衝撃で、本体が支持片の固着によりバネ性を生じ、なおかつ、基盤による反撥力が付加され打ち球が適当な方向に飛び跳ねるよう弾き、また、耐久性のある機構であり、盤面上の端側の落下球を中央部の入賞口方向に弾かせることにより、遊技の面白さが増大し興趣を一層引き立てられるという効果を有する。
【図面の簡単な説明】
【図１】本発明に係るスーパージャンプの斜視図。
【図２】同破断して示す斜視図。
【図３】同中央縦断側面図。
【図４】同分解斜視図。
【符号の説明】
１    基盤
２    接合片
３    本体受部
４    取付部
５    本体
６    支持片
ａ    取付板
【図１】
2004209004.tif 000003
【図２】
2004209004.tif 000004
【図３】
2004209004.tif 000005
【図４】
2004209004.tif 000006
(57)【要約】【課題】容器の上部に装着し、さらに切り花を活けられる花立て器具を提供する。【解決手段】中が空洞の逆円錐形の側壁（５）内下部にＶ字溝（９）を設け、側壁（５）下に通水穴Ｂ（７）４カ所、上にも通水穴Ａ（６）４カ所を設け、そして数個の穴（２）を設けた円盤（３）の上の面につまみ（１）を、下の面にも段（４）を設け、下の面を逆円錐形の側壁（５）上部に装着し、側壁（５）最下部にも台（８）を装着する。さらにこれを容器（１１）の上部に装着して、切り花を活けられるようにしたことを特徴とする。【選択図】    図１
2004209010.tif 000002
【特許請求の範囲】
【請求項１】
中が空洞の側壁（５）内下部にＶ字溝（９）を設け、側壁（５）下に通水穴Ｂ（７）と側壁（５）上にも通水穴Ａ（６）を設け、穴（２）を設けた盤（３）の下の面に段（４）を設け、下の面を側壁（５）上部に装着し、側壁（５）最下部にも台（８）を装着した花立て器具。
【発明の詳細な説明】
【０００１】
【発明の属する技術分野】
この発明は、容器の上部に装着し、さらに切り花を活けられるようにした花立て器具に関するものである。
【０００２】
【従来の技術】
従来、容器の底に置いて使用する剣山や水をしみこませて使用するスポンジ状の花立て器具があった。
【０００３】
【発明が解決しようとする課題】
これは次のような欠点があった。
（イ）  背の低い花や、短かい切り花を容器の底に固定するのは難しかった。
（ロ）  茎のやわらかい花や細い花などは、固定するとき折れてしまうときがあった。
本発明は、これらの欠点を除くために発明されたものである。
【０００４】
【課題を解決するための手段】
中が空洞で逆円錐形の側壁（５）内下部にＶ字溝（９）を設け、側壁（５）下に通水穴Ｂ（７）４カ所、上にも通水穴Ａ（６）４カ所を設ける。
そして数個の穴（２）を設けた円盤（３）の上の面につまみ（１）を、下の面に段（４）を設け、逆円錐形の側壁（５）上部に下の面を装着し、側壁（５）最下部にも台（８）を装着する。
本発明は、以上のような構成よりなる花立て器具である。
【０００５】
【発明の実施の形態】
以下本発明の実施の形態について説明する。
（イ）  中が空洞で逆円錐形の側壁（５）内下部に、切り花の下の部分を挟み込んで固定できる、Ｖ字溝（９）を円状に数列設け、側壁（５）下に通水穴Ｂ（７）４カ所、上に大きめの通水穴Ａ（６）４カ所を設ける。
（ロ）  いろんな太さの切り花でも差し込める、大小数個の穴（２）を設けた円盤（３）の上の面に、持ちやすいようつまみ（１）を、下の面には容器に固定しやすいように段（４）を設け、下の面を逆円錐形の側壁（５）上部に装着し、側壁（５）最下部にも台（８）を装着する。
本発明は以上のような構造で、これを使用するときは、円盤（３）上部のつまみ（１）を軽く持ち７〜８割の水（１０）の入った容器（１１）の上より、台（８）の部分から落とし込みふちに静かにのせる。このとき容器（１１）の水（１０）は側壁（５）下の通水穴Ｂ（７）４カ所よりはいりはじめ、あとから側壁（５）上の大きめの通水穴Ａ（６）４カ所からもはいり、側壁（５）内は水（１０）でみたされる。そして固定された、花立て器具上部の穴（２）より、切り花を差し込み側壁（５）内下部のＶ字溝（９）に次々挟み込んでいく。
【０００６】
【発明の効果】
逆円錐形側壁（５）の上部に装着された円盤（３）が、鍋のふたのような構造であるため、この円盤（３）と容器（１１）との口の大きささえあえば、下部がいかなる形状の容器（１１）であっても、その上部に装着することができ、さらに切り花を活けられることができる。
【図面の簡単な説明】
【図１】本発明の使用状態の斜視図である。
【図２】本発明の使用状態の断面図である。
【図３】本発明の分解斜視図である。
【図４】本発明の使用状態の斜視図である。
【符号の説明】
１  つまみ
２  穴
３  円盤
４  段
５  側壁
６  通水穴Ａ
７  通水穴Ｂ
８  台
９  Ｖ字溝
１０  水
１１  容器
【図１】
2004209010.tif 000003
【図２】
2004209010.tif 000004
【図３】
2004209010.tif 000005
【図４】
2004209010.tif 000006
(57)【要約】【課題】一人で背中に湿布薬を貼ることができる器具を提供する。【解決手段】表面に湿布薬（６）が塗布された基布（５）の裏面の上部（３）に袋部（４）を設ける。平板（１）の背面に略Ｌ字状の取っ手（２）一端を接続する。取っ手（２）の中途をへ字状に曲り部（７）を形成する。平板（１）の上部（３）に基布（５）の袋部（４）を差し込み掛ける。平板（１）についた湿布薬を背中にあてがって貼る。【選択図】  図３
2004209011.tif 000002
【特許請求の範囲】
【請求項１】
表面に湿布薬（６）が塗布された基布（５）の裏面の上部（３）に袋部（４）を設け、平板（１）の背面に略Ｌ字状の取っ手（２）の一端を接続し、取っ手（２）の中途をへ字状に曲り部（７）を形成し、平板（１）の上部（３）に基布（５）の袋部（４）を差し込み掛けて、一人で湿布薬が背中に貼れる器具。
【発明の詳細な説明】
【０００１】
【発明の属する技術分野】
この発明は、背中に湿布薬を一人で貼れるようにした器具に関するものである。
【０００２】
【従来の技術】
従来、背中に湿布薬を貼るときには、当人が貼ることができないので、他人の手を借りて貼っていた。
【０００３】
【発明が解決しようとする課題】
これは、次のような欠点があった。
（イ）一般に売られている湿布薬は、背中に一人で貼れない欠点があり、誰かに貼ってもらわなければならないという煩わしさがあった。
本発明は、これらの欠点を解決するためになされたものである。
【０００４】
【課題を解決するための手段】
表面に湿布薬（６）が塗布された基布（５）の裏面の上部（３）に袋部（４）を設け、平板（１）の背面に略Ｌ字状の取っ手（２）の一端を接続し、取っ手（２）の中途をへ字状に曲り部（７）を形成し、平板（１）の上部（３）に基布（５）の袋部（４）を差し込み掛けて、一人で湿布薬が背中に貼れる器具。
【０００５】
【発明の実施の形態】
以下、本発明の実地例について説明する。
（イ）表面に湿布薬（６）が塗布された方形状の基布（５）の裏面の上部に袋部（４）を設ける。
（ロ）平板（１）の背面に略Ｌ字状の取っ手（２）の一端を接続し、取っ手（２）の中途をへ字状に曲り部（７）を形成する。
本発明は、以上の構成よりなっている。
本発明を使用するときは、基布（５）の裏面の袋部（４）に平板（１）の上部（３）を差し込み、湿布薬（６）を平板（１）に固定する。次ぎに、取っ手（２）を手で持ち、平板（１）についた湿布薬を背中にあてがって貼る。
【０００６】
【発明の効果】
本発明を使用することにより、一人で簡単に背中に湿布薬を貼ることができる。
【図面の簡単な説明】
【図１】本発明の要部斜視図
【図２】本発明の要部斜視図
【図３】本発明の断面側面図
【符号の説明】
１  平板
２  取っ手
３  平板の上部
４  袋部
５  基布
６  湿布薬
７  曲部
【図１】
2004209011.tif 000003
【図２】
2004209011.tif 000004
【図３】
2004209011.tif 000005
(57)【要約】【課題】髪の毛を乱すことなく装着できる、面テープおよび伸縮性止め具つき耳あて具を提供する。【解決手段】帯状の耳あて具（１）の両端に面テープ（２）または止めリング（３）および伸縮ゴム（４）とフック（５）を取り付けることにより、髪の毛を乱すことなく着脱できることを特徴とする。【選択図】        図１
2004209015.tif 000002
【特許請求の範囲】
【請求項１】
両端に面テープ（２）を設けた帯状の耳あて具。
【請求項２】
片側に止めリング（３）を設け、他方に伸縮ゴム（４）を設け、さらに伸縮ゴムの端にフック（５）を設けた帯状の耳あて具。
【発明の詳細な説明】
【０００１】
【発明の属する技術分野】
この発明は、後頭部で開放することができる帯状の耳あて具に関するものである。
【０００２】
【従来の技術】
従来、帯状の耳あて具は輪になっており、開放できない耳あて具であった。
【０００３】
【発明が解決しようとする課題】
これは次のような欠点があった。
（イ）耳あて具を装着するたびに髪の毛が乱れる。
（ロ）長さが固定されているため個人々の頭部の大きさに対応できない。
（ハ）頭上部からしか装着できず煩わしかった。
本発明は、以上の欠点を解決するためになされたものである。
【０００４】
【課題を解決するための手段】
帯状の耳あて具（１）の両端に面テープ（２）を設ける。
帯状の耳あて具（１）の片側に止めリング（３）を設け、他方に伸縮ゴム（４）を設け、さらに伸縮ゴムの端にフック（５）を設ける。
本発明は、以上のような構成よりなる耳あて具である。
【０００５】
【発明の実施の形態】
以下、本発明の実施の形態を説明する。
（イ）毛・ポリエステル等からなる帯状の耳あて具（１）の両端に面テープ（２）を設ける。
（ロ）毛・ポリエステル等からなる帯状の耳あて具（１）の片側に止めリング（３）を設ける。
（ハ）他方に伸縮ゴム（４）を取り付け、その端にフック（５）を設ける。
本発明は、以上の構成よりなっている。
本発明を使用するときは、耳あて具（１）を額部分より耳に当て、頭部の後で面テープ（２）にて止める。
これにより従来のように、頭部の上より耳あて具を装着する必要がなく、髪の毛を乱すことがない。
また、誰が装着しても煩わしくなく、簡単に装着することができる。
【０００６】
【発明の効果】
本発明を使用することによって、髪の毛を乱すことなく耳あて具を装着することができる。
しかも長さが面テープおよびゴムにより調整できるため誰にでも合わせることができる。
さらに従来のように頭部の上より装着することがないので、髪の毛を乱すこともない。
【図面の簡単な説明】
【図１】は本発明の正面図である。
【図２】は本発明の他の実施例図でる。
【図３】は本発明の使用説明図である。
【図４】は本発明の他の実施例の使用説明図である。
【図５】は本発明を装着した説明図である。
【符号の説明】
１、帯状の耳あて具
２、面テープ
３、止めリング
４、伸縮ゴム
５、フック
【図１】
2004209015.tif 000003
【図２】
2004209015.tif 000004
【図３】
2004209015.tif 000005
【図４】
2004209015.tif 000006
【図５】
2004209015.tif 000007
(57)【要約】【課題】現在市販されているボディスクラブ用器具はプラスチック製で、手に握るタイプである。【解決手段】シリコンラバー製にし、タオルのようにした本品で、従来手の届きづらかった自分の背中に、容易にスクラブ剤をかけることができる。【選択図】  図２
2004209016.tif 000002
【特許請求の範囲】
【請求項１】
ボディスクラブ剤使用時に用いる、シリコンラバー製のタオル。
【発明の詳細な説明】
この発明は、入浴時にボディスクラブ剤を使用する時に浴用タオルのように使用すると、自分の背中にも簡単にスクラブがかけられる、シリコンラバー製の美容グッズである。
現在市販されているボディスクラブ用の器具は、プラスチック製で、手に握って体をこするものしかない為、背中にスクラブ剤をかける時に手が届かず困難である。本品は、柔軟で水や熱にも強いシリコンラバーの特性を活かし、その表面に細かい突起をつけ、わさび用のおろしがねでわさびをおろすように、肌にスクラブ剤をかける為のものである。
使いやすくする為、両端に取手としてヒモを通してある。
【図面の簡単な説明】
【図１】本発明のスクラブ・タオルの斜視図
【図２】本発明スクラブ・タオルの一部断面図
【符号の説明】
１はシリコンラバー部分  ２はヒモ  ３はヒモを通す為のプラスック管
【図１】
2004209016.tif 000003
【図２】
2004209016.tif 000004
(57)【要約】【課題】雨の日に傘を拡げて利用する場合において、利用する人間をできるだけ雨で濡らさない傘、または風を伴った雨の場合においては安定に保持できる傘を得る。【解決手段】傘のハンドルＡ、または傘のハンドルＢの一部をなす副ハンドルをロッド上で所定の範囲にわたって移動しかつ固定することができるように構成する。【選択図】        図１
2004209030.tif 000002
【特許請求の範囲】
【請求項１】
ロッドと、上記ロッド上で所定の範囲にわたって移動しかつ固定することのできるハンドルＡとを備えたことを特徴とする傘。
【請求項２】
主ハンドルと副ハンドルからなりかつ上記主ハンドルと上記副ハンドルが分離可能なハンドルＢと、ロッドとを備え、上記副ハンドルを上記ロッド上の所定の範囲にわたって移動しかつ固定することができることを特徴とする傘。
【発明の詳細な説明】
【０００１】
【発明の属する技術分野】
この発明は傘を利用する人間をできるだけ雨で濡らさない傘、または風を伴う雨の場合においては安定に保持することができる傘に関するものである。
【０００２】
【従来の技術】
図５は従来の傘３を拡げたときの図であり、３−１は従来の傘３の構成部品の一つであるロッド、３−２はロッド３−１の基端部に固定された従来の傘３の構成部品の一つであるハンドルＣである。
【０００３】
【発明が解決しようとする課題】
従来の傘３は以上のように構成されているので、激しい雨の場合においては、従来の傘３を開いてハンドルＣ３−２を手で保持して利用するとき、この傘を利用する人間が雨で濡れることがある。また、風を伴った雨の場合においては、従来の傘３を開いてハンドルＣ３−２を手で保持して利用するとき従来の傘３を安定に保持することがむずかしいことがある。
【０００４】
この発明は上記のような問題点を解決するためになされたもので、傘を利用する人間をできるだけ雨で濡らさない傘、または安定に保持することのできる傘を提供することを目的とする。
【０００５】
【課題を解決するための手段】
第１の発明による傘はロッドと、上記ロッド上で所定の範囲にわたって移動しかつ固定することのできるハンドルＡとを備えたものである。
【０００６】
また、第２の発明による傘は、主ハンドルと副ハンドルからなりかつ上記主ハンドルと上記副ハンドルが分離可能なハンドルＢと、ロッドとを備え、上記副ハンドルを上記ロッド上の所定の範囲にわたって移動しかつ固定することができるものである。
【０００７】
【発明の実施の形態】
実施の形態１。
図１はこの発明の実施の形態１を示す構成図であり、図において、１は傘、１−１は傘１の構成部品の一つであるロッド、１−２は傘１の構成部品の一つであるハンドルＡで、ロッド１−１上で所定の範囲にわたって移動しかつ固定することのできるものである。ただし、所定の範囲とは雨降り時に通常、傘１を拡げた状態において、ハンドルＡ１−２をロッド１−１上で移動させて傘１を容易に保持できるロッド１−１上の領域を意味する。
【０００８】
次に動作について説明する。傘１を拡げたとき、ロッド１−１の基端部に位置するハンドルＡ１−２をロッド１−１上で移動させかつロッド１−１の上記所定の範囲内の任意の位置に固定する。
【０００９】
ハンドルＡ１−２をロッド１−１上の上記所定の範囲内の任意の位置に固定させる一例を図３に示す。図３に示すようにハンドルＡ１−２内をロッド１−１が貫通し、ハンドルＡ１−２の貫通穴の内部にバネ４を設けることによりハンドルＡ１−２をロッド１−１上で自在に移動させ上記所定の範囲内の任意の位置に固定させることができる。
【００１０】
実施の形態２。
図２はこの発明の実施の形態２を示す構成図であり、図において、２は傘、２−１は傘２の構成部品の一つであるロッド、２−２は傘２の構成部品の一つであるハンドルＢ、２−２ａは主ハンドル、２−２ｂは副ハンドル、ハンドルＢ２−２は主ハンドル２−２ａおよび副ハンドル２−２ｂからなると共に主ハンドル２−２ａと副ハンドル２−２ｂは分離でき、主ハンドル２−２ａはロッド２−１の基端部に固定されるもので、一方、副ハンドル２−２ｂはロッド２−１上で所定の範囲にわたって移動しかつ固定することができるものである。ただし、所定の範囲とは雨降り時に通常、傘２を拡げた状態において、副ハンドル２−２ｂをロッド２−１上で移動させて傘２を容易に保持できるロッド２−１上の領域を意味する。
【００１１】
次に動作について説明する。傘２を拡げたときロッド２−１の基端部に位置するハンドルＢ２−２のうち副ハンドル２−２ｂをロッド２−１上で移動させかつロッド２−１の上記所定の範囲内の任意の位置に固定する。
【００１２】
副ハンドル２−２ｂをロッド２−１上の上記所定の範囲内の任意の位置に固定させる一例を図４に示す。図４に示すように副ハンドル２−２ｂ内をロッド２−１が貫通し、副ハンドル２−２ｂの貫通穴の内部にバネ４を設けることにより副ハンドル２−２ｂをロッド２−１上で自在に移動させ上記所定の範囲内の任意の位置に固定させることができる。
【００１３】
【発明の効果】
第１の発明によればハンドルＡをロッド上で自在に移動させ、固定させることができるので、激しい雨の場合には移動させたハンドルＡを手で保持することにより傘に通常張ってあるパネルをこの傘を利用する人間の頭上近傍に引き寄せることができるため雨に濡れることをできるだけ防ぐことができる。また、風を伴った雨の場合には傘を安定に保持することができる。
【００１４】
第２の発明によれば、第１の発明の場合と同様に副ハンドルをロッド上で自在に移動させ、固定させることができるので、激しい雨の場合には移動させた副ハンドルを手で保持することにより傘に通常張ってあるパネルをこの傘を利用する人間の頭上近傍に引き寄せることができるため雨に濡れることをできるだけ防ぐことができる。また、風を伴った雨の場合には傘を安定に保持することができる。
【図面の簡単な説明】
【図１】この発明による傘の実施の形態１を示す図である。
【図２】この発明による傘の実施の形態２を示す図である。
【図３】この発明による傘の実施の形態１におけるハンドルＡの固定例を示す図である。
【図４】この発明による傘の実施の形態２における副ハンドルの固定例を示す図である。
【図５】従来の傘を示す図である。
【符号の説明】
１        傘
１−１    ロッド
１−２    ハンドルＡ
２        傘
２−１    ロッド
２−２    ハンドルＢ
２−２ａ  主ハンドル
２−２ｂ  副ハンドル
３        従来の傘
３−１    ロッド
３−２    ハンドルＣ
４        バネ
【図１】
2004209030.tif 000003
【図２】
2004209030.tif 000004
【図３】
2004209030.tif 000005
【図４】
2004209030.tif 000006
【図５】
2004209030.tif 000007